(57)【要約】【課題】電源コードが被充電機器に接続されている状態で被充電機器を操作する場合であっても、電源コードのからまりなどの問題が生じない充電システムを提供する。【解決手段】  充電システムは、電子機器９０と電力供給部とを電気的に接続するための第１および第２の電源コード１２，８２と、第１の電源コード１２の一方の端に設けられ、電子機器９０に接続するための接続端子１０と第１の電源コード１２の他方の端が固定され中継部材２０とを含む。中継部材２０は、第１の電源ライン１２と導通している導電体２２ａ，２２ｂと凸部２６とを含む。凸部２６と嵌合する嵌合部３２と、凸部２６が嵌合部３２に嵌め合わされた際に、中継部材２０の導電体２２ａ，２２ｂと電気的に接続する接点４４ａ，４４ｂを含む接点部材４０とを含む。第２の電源ライン８２は、一端が接点４４ａ，４４ｂに接続され、他端が電力供給部に接続され、嵌合部３２の下に設けられた筐体５０に収容されている。【選択図】図１
2011024389.tif 000002
【特許請求の範囲】
【請求項１】
電子機器に電力を供給するための電力供給部と、
前記電子機器と前記電力供給部とを電気的に接続するための第１の電源コードおよび第２の電源コードと、
前記第１の電源コードの一方の端に設けられ、前記電子機器に接続するための接続端子と、
前記第１の電源コードの他方の端が固定された中継部材と、を含み、
前記中継部材は、前記第１の電源ラインと導通している導電体と、凸部とを含み、
さらに、前記凸部と嵌合する嵌合部と、
前記凸部が前記嵌合部に嵌め合わされた際に、前記中継部材の導電体と電気的に接続する接点を含む接点部材と、を含み、
前記第２の電源ラインは、一端が前記接点部材の接点に接続され、他端が前記電力供給部に接続され、かつ、前記嵌合部に隣接した位置に設けられた筐体に収容されている充電ユニット。
【請求項２】
請求項１において、
さらに、前記電子機器が固定される固定部を含む充電ユニット。
【請求項３】
請求項１または２において、
前記中継部材に接続されている紐状体を含み、
前記接点部材および前記嵌合部のそれぞれに貫通孔が設けられ、
前記筐体内に設けられた紐状体の巻き取り部から前記接点部材および前記嵌合部のそれぞれの貫通孔を通り、前記中継部材に固定されている充電ユニット。
【発明の詳細な説明】
【技術分野】
【０００１】
本発明は、電子機器の充電システムに関する。
【背景技術】
【０００２】
携帯電話の充電システムは、ＡＣアダプターとコネクタとをコードでつなぎ、コネクタを被充電機器に接続することで充電を行う場合がある（特許文献１参照）。
【０００３】
また、充電される電子機器を載置台に置くことにより、充電を行う場合がある（特許文献２参照）。
【先行技術文献】
【特許文献】
【０００４】
【特許文献１】特許第３９９２１１９号
【特許文献２】特許第３７０３４２２号
【発明の概要】
【発明が解決しようとする課題】
【０００５】
本発明の目的は、電源コードが被充電機器に接続されている状態で被充電機器を操作する場合であっても、電源コードのからまりなどの問題が生じない充電システムを提供することにある。
【課題を解決するための手段】
【０００６】
本発明の充電システムは、
電子機器に電力を供給するための電力供給部と、
前記電子機器と前記電力供給部とを電気的に接続するための第１の電源コードおよび第２の電源コードと、
前記第１の電源コードの一方の端に設けられ、前記電子機器に接続するための接続端子と、
前記第１の電源コードの他方の端が固定されている中継部材と、を含み、
前記中継部材は、前記第１の電源ラインと導通している導電体と、凸部とを含み、
さらに、前記凸部と嵌合する嵌合部と、
前記凸部が前記嵌合部に嵌め合わされた際に、前記中継部材の導電体と電気的に接続する接点を含む接点部材と、を含み、
前記第２の電源ラインは、一端が前記接点部材の接点に接続され、他端が前記電力供給部に接続され、かつ、前記嵌合部に隣接した位置に設けられた筐体に収容されている。
【０００７】
本発明の充電システムによれば、第１の電源コードと第２の電源コードとを分離して設けている。第１の電源コードが電子機器に接続されていても第２の電源コードは筐体に収容されているため、電子機器の操作性に影響を与えない。また、中継部材の凸部を嵌合部に嵌め合わせることで、接点部材と中継部材の導電体とが接続し、第１の電源コードと第２の電源コードとが接続されることになるため、充電のために所定の場所に確実に載置することができるという利点がある。
【０００８】
本発明において、前記電子機器が固定される固定部を含むことができる。これによれば、電子機器と中継部材とが一体化されているため、電子機器の操作性がより向上する。
【０００９】
本発明において、
前記中継部材に接続されている紐状体を含み、
前記接点部材および前記嵌合部のそれぞれに貫通孔が設けられ、
前記筐体内に設けられた紐状体の巻き取り部から前記接点部材および前記嵌合部のそれぞれの貫通孔を通り、前記中継部材に固定されていることができる。
【００１０】
このように中継部材に紐状体を設けることで、中継部材に固定された電子機器の盗難を防止することができる利点がある。これによれば、特に、電子機器の展示用に用いられる充電システムに好適である。
【図面の簡単な説明】
【００１１】
【図１】図１は、充電システム１００を模式的に示した分解斜視図である。
【図２】図２は、充電システム１００を模式的に示した正面図である。
【図３】図３は、充電システム１００を模式的に示した断面図である。
【図４】図４（Ａ）は中継部材を模式的に示す上面図であり、図４（Ｂ）は中継部材を模式的に示す断面図である。
【図５】図５は、中継部材の固定部を示す図である。
【図６】図６（Ａ）〜（Ｂ）は、接点部材の構成要素を模式的に示した図である。
【図７】図７は、ワイヤの固定方法を説明するための説明図である。
【発明を実施するための形態】
【００１２】
以下、本発明の好適な実施の形態について図面を参照しながら説明する。
【００１３】
以下、本発明の好適な実施の形態について図面を参照しながら説明する。
【００１４】
図１は、充電システム１００を模式的に示した分解斜視図である。図２は、充電システム１００を模式的に示した正面図である。図３は、充電システム１００を模式的に示した断面図である。図４（Ａ）は中継部材を模式的に示す上面図であり、図４（Ｂ）は中継部材を模式的に示す断面図である。図５は、中継部材の固定部を示す図である。図６（Ａ）〜（Ｂ）は、接点部材の構成要素を模式的に示した図である。図７は、ワイヤの固定方法を説明するための説明図である。
【００１５】
充電システム１００は、第１の電源コード１２と、中継部材２４と、嵌合台３０と、接点部材４０と、筐体５０とを含む。
【００１６】
第１の電源コード１２は、一端には接続端子１０が設けられ、他端には第１の端子１２ａおよび第２の端子１２ｂが設けられている。第１および第２の端子１２ａ，１２ｂは、たとえば丸端子から構成されることができる。接続端子１０は、電子機器９０と充電システム１００とを電気的に接続するためのものであり、公知の端子を適用することができる。
【００１７】
中継部材２０は、中継基体２４と凸部２６を含む。中継基体２４は、図４に示すように、第１および第２の端子１２ａ，１２ｂが接続される。たとえば、中継基体２４と凸部２６において、連続する２つの穴を設け、第１および第２の導電体（たとえばネジ端子）２２ａ，２２ｂを対応する穴２４ａ，２４ｂに挿入し、第１及び第２の端子１２ａ，１２ｂをかしめ固定することができる。中継部材２０の上面、すなわち電子機器と接する面には電子機器を固定する固定部２４ｄを設けることができる。この固定部２４ｄは、たとえば両面テープにより構成することができる。中継基体２４の上面には、図４に示すように、第１の電源コード１２を収容する溝２４ｃを設けてもよい。
【００１８】
中継部材２０の凸部２６は、対応する嵌合台３０の嵌合部３２の形状に対応する。凸部２６が嵌合部３２に嵌め合わされることで、位置決めがされる。凸部２６は、非対称の構造（たとえば一方の側の端面を湾曲させ、他方の側の端面を平面）とすることで、端子の正、負が逆になることを防ぐことができる。嵌合台３０は、筐体５０の上に載置される。
【００１９】
中継部材２０の凸部２６を嵌合部３２に嵌め合わされることで、中継部材２０の第１導電体２２ａ，２２ｂが接点部材４０の第１および第２の接点４４ａ，４４ｂと電気的に接触する。
【００２０】
接点部材４０は、基体４２に第１〜第４の接続穴４２ａ，４２ｂ，４２ｃ，４２ｄが設けられている。第１および第２の接点４４ａ，４４ｂは、たとえば先が曲げられており、その曲げられた部分が対応する接続穴４２ａ，４２ｂに入るように設けられる。
【００２１】
第１および第２の接点４４ａ，４４ｂは、図６に示すように、第３および第４の接続穴４２ｃ，４２ｄに対応する位置に貫通孔４４ａ１，４４ｂ１を設けることができる。
【００２２】
第１及び第２の接点４４ａ，４４ｂは、第２の電源コード８２と接続される。第２の電源コード８２は、その一端に第３の端子および第４の端子８４ａ，８４ｂが設けられ、他端にＡＣアダプター８０が設けられている。第３の端子および第４の端子８４ａ，８４ｂは、たとえば丸端子からなることができる。第２の電源コードは、筐体５０内に収容される。
【００２３】
第３の端子および第４の端子８４ａ，８４ｂは、次のように固定されることができる。第１および第２の接点４４ａ，４４ｂが基体４２に位置決めされた後に、第３および第４の端子８４ａ，８４ｂをそれぞれ貫通孔４４ａ１，４４ｂ１の位置に位置決めしてから、ネジ８６ａ，８６ｄを第３および第４の端子８４ａ，８４ｂ側から基体４２の第４および第４の接続穴４２ｃ，４２ｄに挿入して固定されることができる。
【００２４】
ワイヤ６２は、一端が自動巻き取りワイヤリール６０に固定され、他端は中継部材２０に固定されている。ワイヤの中継部材２０への固定は、図７に示すように、ワイヤの先端にリング部６４を設け、凸部２６に設けられた縦穴にリング部６４を挿入し、凸部の横穴から固定ピンがリング部６４を抜けるように挿入して固定することができる。
【００２５】
ワイヤ６２の端部は中継部材２０に固定されているため、中継部材２０の移動にしたがって、自動巻き取りワイヤリール６０からワイヤ６２が出されていくこととなる。ワイヤリール６０は筐体５０内に設けられる。ワイヤリール６０は、土台７０に固定治具６６により固定することができる。ワイヤ６２は、接続部材４０に設けられた貫通穴および嵌合部３２を通して中継部材２０に固定される。
【００２６】
土台は、種々の板（スリット板を含む）に固定ネジ７２ａ，７２ｂにより固定することができる。
【００２７】
充電される電子機器は、たとえば、携帯電話やＰＨＳなどの携帯端末、ＰＤＡ（Ｐｅｒｓｏｎａｌｄａｔａ  Ａｓｓｉｓｔａｎｔ）などであってもよい。
【００２８】
次に、本実施の形態に係る充電システムの作用効果について説明する。
【００２９】
中継部材２０の凸部２６を嵌合部を嵌合させることで、中継部材の導電体が接点部材の接点と接触する。これにより、第１の電源コードと第２の電源コードとが導通し、ＡＣアダプタからの出力電力が被充電機器に供給される。ＡＣアダプタはそのコンセントにより電力供給部（図示せず）に接続される。
【００３０】
一方、中継部材２０に固定された電子機器を引っ張り上げると、中継部材２０の凸部２６が嵌合部３２から分離することになり、中継部材２０の移動に伴い、ワイヤ６２のみが引き出され、ＡＣアダプタに直接接続された第２の電源コードは引き出されない。したがって、従来は、電源コードが一緒に引き出され、電源コードがからまったりし、盗難防止用のワイヤがある場合にはさらにからまりやすかった。しかし、本実施の形態によれば、電源コードが引き出されることはないため、そのような電源コードがからまるという問題点も発生しない。また、ワイヤが引き出されても自動巻き取りリールでワイヤを巻き取ることでワイヤもからまることは生じない。第１の電源コードのみが露出し、第２の電源コードは筐体に収納されているので、第２の電源コードの破損を防ぐことができるという利点もある。
【００３１】
また、中継部材２０の凸部２６を嵌合部３２に嵌合させれば、充電のための被充電機器の位置決めを行うことができるため、置きやすいという利点もある。
【００３２】
さらに、ワイヤの一端を中継部材２０に固定し、他端を土台等に固定することで盗難防止が図れた展示用の充電システムを実現することができる。
【００３３】
本実施の形態は、本発明の範囲内において種々の変形が可能である。
【産業上の利用可能性】
【００３４】
本発明の充電システムは、電源コードが被充電機器に接続されている状態で被充電機器を操作する場合であっても、電源コードのからまりなどの問題が生じない。
【符号の説明】
【００３５】
１０    接続端子
１２    第１の電源コード
１２ａ  第１の丸端子
１２ｂ  第２の丸端子
２０    中継部材
２２ａ  第１の導電体（ネジ端子）
２２ｂ  第２の導電体（ネジ端子）
２４    中継基体
２４ａ  穴
２４ｂ  穴
２４ｃ  溝
２４ｄ  固定部
２６    凸部
２８    固定ピン
３０    嵌合台
３２    嵌合部
４０    接点部材
４２    接点基体
４２ａ  第１の接続穴
４２ｂ  第２の接続穴
４４ａ  第１の接点
４４ｂ  第２の接点
５０    筐体
６０    巻き取りリール
６２    ワイヤ
６４    リング部
６６    固定治具
７０    土台
７２    土台穴
７２ａ  固定ネジ
７２ｂ  固定ネジ
８０    電源アダプター
８２    第２の電源コード
８４ａ  第３の丸端子
８４ｂ  第４の丸端子
９０    電子機器
１００  充電システム
【図１】
2011024389.tif 000003
【図２】
2011024389.tif 000004
【図３】
2011024389.tif 000005
【図４】
2011024389.tif 000006
【図５】
2011024389.tif 000007
【図６】
2011024389.tif 000008
【図７】
2011024389.tif 000009